(57)【要約】【課題】処理後のコードの真円度を高くしてベルトの心線ピッチラインを安定させるようにした白地コードのシゴキ装置を提供することにある。【解決手段】少なくとも１本の白地コード２を通過させながら押圧変形させる白地コードのシゴキ装置１であり、上記白地コード２の直線経路上に第１のガイド棒３と第２のガイド棒４を配し、そして白地コード２を互いに垂直な２方向に略同時に押圧して張力を与えるようにした張力付与部材９を上記第１と第２のガイド棒３，４との間にあってこれらのガイド棒３，４を結ぶライン上から外れた位置に設ける。【選択図】図１
2005307375.tif 000002
【特許請求の範囲】
【請求項１】
少なくとも１本の白地コードを通過させながら押圧変形させる白地コードのシゴキ装置であり、上記白地コードの直線経路上に第１のガイド棒と第２のガイド棒を配し、そして白地コードを互いに垂直な２方向に略同時に押圧して張力を与えるようにした張力付与部材を上記第１と第２のガイド棒との間にあってこれらのガイド棒を結ぶライン上から外れた位置に設けたことを特徴とする白地コードのシゴキ装置。
【請求項２】
白地コードは第１のガイド棒、張力付与部材、そして第２のガイド棒に係合しながら屈曲した状態で進行するようになっている請求項１記載の白地コードのシゴキ装置。
【請求項３】
張力付与部材は支持棒に嵌め込まれた一対のワッシャーと、一対のワッシャーを弾性的に押圧するバネを有している請求項１または２記載の白地コードのシゴキ装置。
【請求項４】
張力付与部材が第１のガイド棒と第２のガイド棒を結ぶラインに対して直交する方向に移動可能である請求項１〜３の何れかに記載の白地コードのシゴキ装置。
【発明の詳細な説明】
【技術分野】
【０００１】
本発明は白地コードのシゴキ装置に係り、詳しくは動力伝動用ベルトの心線に用いる白地コードの真円度を高めた状態でディップ処理することができる白地コードのシゴキ装置に関する。
【背景技術】
【０００２】
Ｖベルト、Ｖリブドベルト、歯付ベルト等の動力伝動用ベルトには、抗張体である心線としてポリエステル繊維、アラミド繊維、あるいはガラス繊維等の繊維材料を素材としたコードが使用されている。特許文献１に示すように、このコードはゴム材料との接着性を高めるため、ＲＦＬ（レゾルシン・ホルムアルデヒド・ラテックス）処理を行ったり、またはエポキシ又はイソシアネート化合物で前処理した後に上記ＲＦＬ処理をしたりしていた。また、ＲＦＬ処理をした後にゴム糊を付着させたりしていた。
【特許文献１】特開平９−４１２３８号公報（段落番号０００２等）
【発明の開示】
【発明が解決しようとする課題】
【０００３】
このような技術において、コードの構成が１×５，１×６，１×２×３，２×５等の場合は、コードの撚りバランス構成が悪くなり易く、接着処理がされていない白地コードで扁平な長方形や台形形状を呈してしまうことがある。そして、このような白地コードに前記ＲＦＬ処理等を行うと、扁平な状態でコードが固まってしまい、もはやコードを真円度の高い状態に戻すことは困難であった。
【０００４】
この観点から特許文献１の構成をみると、当該特許文献１の図２に示すように、コード１０はチーズボビン１６から駆動ロール１７ａで引き出され、フリクションテンショナー２３で軽度の張力を付与され、カイドロール２６を経てディップ装置２０へ進入する構成となっている。しかしながら、コード１０をディップ装置２０への進入前にその真円度を高める構成は何ら採られていない。従って、特許文献１の構成では、処理済コードが扁平状（真円度の低い形状）となってしまう恐れがある。
【０００５】
このように扁平な形状の処理済コードは、その径が方向によって大きなバラツキを呈することになる。従って、この処理済コードを金型に螺旋状に巻き付けるスピニングの際に巻付けの不均一を生じ、成形されたベルトの心線のピッチラインが乱れ、心線同士が乗り上げると言った恐れがあった。
【０００６】
本発明は以上の事情に鑑みてされたものであり、その目的は、処理後のコードの真円度を高くしてベルトの心線ピッチラインを安定させるようにした白地コードのシゴキ装置を提供することにある。
【課題を解決するための手段】
【０００７】
本願請求項１記載の発明では、少なくとも１本の白地コードを通過させながら押圧変形させる白地コードのシゴキ装置であり、上記白地コードの直線経路上に第１のガイド棒と第２のガイド棒を配し、そして白地コードを互いに垂直な２方向に略同時に押圧して張力を与えるようにした張力付与部材を上記第１と第２のガイド棒との間にあってこれらのガイド棒を結ぶライン上から外れた位置に設けたことを特徴とする。また、本願請求項２〜４記載の発明では、白地コードが第１のガイド棒、張力付与部材、そして第２のガイド棒に係合しながら屈曲した状態で進行するようになっている場合や、張力付与部材が支持棒に嵌め込まれた一対のワッシャーと、一対のワッシャーを弾性的に押圧するバネを有している場合や、張力付与部材が第１のガイド棒と第２のガイド棒を結ぶラインに対して直交する方向に移動可能である場合を含んでいる。
【発明の効果】
【０００８】
本発明の白地コードのシゴキ装置では、白地コードがディップ手段により処理剤に浸漬される工程の前工程において設置されるもので、白地コードを互いに垂直な２方向に略同時に押圧して張力を与えることで押圧変形することにより、その真円度を向上させることができる。従って、真円度に優れた処理済コードを製造でき、この処理済コードを用いて成形されたベルトにおいて心線ピッチの乱れを防止することができる。また、白地コードを第１のガイド棒、張力付与部材、そして第２のガイド棒に係合しながら屈曲した状態で進行させること、張力付与部材が支持棒に嵌め込まれた一対のワッシャーをバネによって弾性的に押圧する機能を有しているために、互いに垂直な２方向で押圧が略同時に行われ、その真円度を向上させることができる。
【０００９】
また、張力付与部材が第１のガイド棒と第２のガイド棒を結ぶラインに対して直交する方向に移動できるために、白地コードを押圧変形しない初期状態の調節も可能になる。
【発明を実施するための最良の形態】
【００１０】
図１は本発明に係る白地コードのシゴキ装置の斜視図であり、このシゴキ装置１は上流側である、例えばクリールスタンドに支承されたチーズボビンから送られてきた処理対象の複数本を平行に配列した白地コード２を押圧変形することでその真円度を高めるものであり、上記白地コード２の直線経路上に第１のガイド棒３と第２のガイド棒４を配している。複数の第１のガイド棒３は支持台５に所定間隔をおいて固定され、白地コード２をスムーズに滑らすために、セラミックス、ステンレス、フッ素樹脂、ポリテトラフルオロエチレン樹脂等を素材にしている。同様に複数の第２のガイド棒４は第１のガイド棒３と同材質であり、支持台７に所定間隔をおいて固定されている。支持台５と支持台７は相対向する位置にある壁板６に固定されている。
【００１１】
張力付与部材９は上記第１のガイド棒３と第２のガイド棒４との間にあって、これらのガイド棒３，４を結ぶライン上から外れた位置に設けられ、往復動可能な移動台１０上に設置されている。移動台１０は壁板６を摺動可能に設置されている。
【００１２】
張力付与部材９では、図２に示すように一対の上下ワッシャー１４ａ，１４ｂがボルト等の支持棒１３に嵌め込まれて、下ワッシャー１４ｂが座金１５によって支持され、上ワッシャー１４ａがつる巻状のバネ１６によって弾性的に下ワッシャー１４ｂを押え付けている。白地コード２は上下ワッシャー１４ａ，１４ｂの間に挟持され、支持棒１３に直接巻き付くことになるが、この場合白地コード２の支持棒１３への直接の巻き付けを阻止するために、合成樹脂製のポスト１７を支持棒１３に取付けることができる。
【００１３】
白地コード２を押圧変形する場合には、白地コード２は第１のガイド棒３、張力付与部材９、そして第２のガイド棒４に係合しながら屈曲した状態で進行するが、白地コード２を押圧変形しない場合には、第１のガイド棒３と第２のガイド棒４を結ぶラインに対して直交する方向に往復動可能である移動台１０を移動させて張力付与部材９を第１のガイド棒３と第２のガイド棒４のライン上に並べて、白地コード２を直線状に走行させる。また、白地コード２の張力付与部材９への巻き付け角度は９０〜１２０°であり、この範囲であれば、効率良く白地コード２を押圧することができる。
【００１４】
以上の構成で白地コード２は、第１のガイド棒３の外周面に巻き掛けられた後、張力付与部材９の支持棒１３の外側に配置されたポスト１７に巻き掛けられ、最後に第２のガイド棒４の外周面に巻き掛けられる。ここで、上述したように張力付与部材９の支持棒１３が第１と第２のガイド棒３，４からオフセットされた位置に設けられているため、前記コード２は平面視「Ｖ」字状に折曲されることになる。
【００１５】
白地コード２は張力付与部材９の支持棒１３の外周面に巻き掛けられる際に、二枚の上下ワッシャー１４ａ，１４ｂの間を通過する。従って、張力付与部材９を通る白地コード２は、支持棒１３に装着したポスト１７の外周面によって支持棒１３の径方向の力が加えられてシゴかれ、これと同時（もしくは略同時）に、上下ワッシャー１４ａ，１４ｂの圧接によって支持棒１３の軸方向の力が加えられてシゴかれる。即ち、白地コード２の外周面には、互いに垂直な上記２方向の力が同時に加えられて押圧され、白地コード２が２つの径方向で押圧されて変形する。
【００１６】
尚、支持棒１３及び上下ワッシャー１４ａ，１４ｂと白地コード２との摩擦により、張力付与部材９通過後の白地コード２の張力は、張力付与部材９通過前の白地コード２に対し、若干上昇する。この上昇の度合いは、前記上下ワッシャー１４ａ，１４ｂを押し付ける図略のバネのバネ力を設定することで、調整することができる。
【００１７】
従って、このシゴキ装置１に供給される時点で白地コード２の撚りバランスが扁平のように悪かったとしても、当該シゴキ装置１による押圧作用により撚りバランスが改善されて変形し、その真円度が向上する。この真円度向上処理後の白地コード２についてプレディップ、乾燥、ディップ、ヒートセット処理を行うことで、真円度の高い処理済コードが得られる。
【００１８】
なお、本実施形態では、シゴキ装置１を通過した白地コード２をプレディップ装置（図示せず）のプレディップ槽に案内するために設置されるガイドプーリには、字状あるいはＲ状（円弧状）の溝が形成されている。従って、シゴキ装置１の押圧作用によって真円度が改善された白地コード２を、ガイドプーリの外周で押し潰すことなくガイドし、そのままプレディップ槽に案内することができる。
【産業上の利用可能性】
【００１９】
本発明に係る白地コードのシゴキ装置は、以上に示すように伝動ベルト用のコードの処理のために有用であるが、それ以外に、例えばタイヤコードの処理のためにも適用することが可能である。
【図面の簡単な説明】
【００２０】
【図１】本発明に係る白地コードのシゴキ装置の斜視図である。
【図２】張力付与部材の正面図を示す。
【符号の説明】
【００２１】
１    シゴキ装置
２    白地コード
３    第１のガイド棒
４    第２のガイド棒
５    支持台
７    支持台
９    張力付与部材
１０    移動台
１４ａ  上ワッシャー
１４ｂ  下ワッシャー
１６    バネ
【図１】
2005307375.tif 000003
【図２】
2005307375.tif 000004